(57)【特許請求の範囲】
【請求項１】
端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、
前記２つの吸入容積のうち、ハウジングに設けられている吸入ポートに近い側に形成される一方の前記吸入容積を、他方の前記吸入容積よりも大きくし、
前記固定スクロールおよび旋回スクロールを、前記渦巻き状ラップの歯先面および歯底面の渦巻き方向に沿う所定位置に各々段部を設けた構成とし、
前記吸入ポートに近い側に形成される前記吸入容積の容積を、その吸入容積を形成する歯先面側の段部高さを他方の歯先面側の段部高さよりも高くすることにより大きくしたスクロール圧縮機。
【請求項２】
端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、
前記２つの吸入容積のうち、ハウジングに設けられている吸入ポートに近い側に形成される一方の前記吸入容積を、他方の前記吸入容積よりも大きくし、
前記固定スクロールおよび旋回スクロールの一方を前記渦巻き状ラップの歯底面の渦巻き方向に沿う所定位置のみに段部を備え、他方を前記歯底面側の段部に対応した前記渦巻き状ラップの歯先面の渦巻き方向に沿う所定位置のみに段部を備えた構成とし、
前記吸入ポートに近い側に形成される前記吸入容積を、その吸入容積内のみに前記歯先面側の段部で形成される容積を追加することにより大きくしたスクロール圧縮機。
【請求項３】
端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、
前記固定スクロールおよび旋回スクロールを、前記渦巻き状ラップの歯先面および歯底面の渦巻き方向に沿う所定位置に各々段部を設けた構成とし、
前記２つの吸入容積を形成する両スクロールの表面積のうち、ハウジングに設けられている吸入ポートから吸込まれる低温の冷媒ガスの吸入領域に面して配置される前記旋回スクロール側の端板の表面積を、前記旋回スクロール側の歯底面に設ける前記段部の高さを前記固定スクロール側の歯底面に設ける前記段部の高さよりも高くすることにより固定スクロール側の端板の表面積よりも大きくしたスクロール圧縮機。
【請求項４】
端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、
前記固定スクロールおよび旋回スクロールの一方を前記渦巻き状ラップの歯底面の渦巻き方向に沿う所定位置のみに段部を備え、他方を前記歯底面側の段部に対応した前記渦巻き状ラップの歯先面の渦巻き方向に沿う所定位置のみに段部を備えた構成とし、
前記２つの吸入容積を形成する両スクロールの表面積のうち、ハウジングに設けられている吸入ポートから吸込まれる低温の冷媒ガスの吸入領域に面して配置される前記旋回スクロール側の端板の表面積を、前記旋回スクロール側の歯底面のみに前記段部を設けることにより固定スクロール側の端板の表面積よりも大きくしたスクロール圧縮機。
【発明の詳細な説明】
【技術分野】
【０００１】
本発明は、体積効率、冷凍能力をより大きくすることができるスクロール圧縮機に関するものである。
【背景技術】
【０００２】
スクロール圧縮機は、端板上に渦巻き状ラップを立設した一対の固定スクロールおよび旋回スクロールを、渦巻き状ラップ同士を対向させて噛み合せし、旋回スクロールを固定スクロール周りに公転旋回駆動することにより、２つの吸入容積を１８０度の位相差で形成し、その吸入容積を外周側から中心側へと容積を減少させながら移動させることによって、吸入容積内に吸込んだ低圧の冷媒ガスを高圧に圧縮して吐出する構成とされている。そして、一般的には、１８０度の位相差で形成される２つの吸入容積の内圧がアンバランスとならないように、その容積を同一容積としている。
【０００３】
一方、特許文献１には、ハウジング内に設置される一対の固定スクロールおよび旋回スクロールの渦巻き状ラップの巻き終り端をできるだけ上方に位置させ、油溜りの油や液冷媒を吸込まないようにするため、一方のスクロールの巻き終り端を巻き始め側の中心部よりも上方位置に配設し、他方のスクロールの巻き終り端を一方のスクロールの巻き終り端に向って延長させたものが開示されている。
【０００４】
また、特許文献２には、固定スクロールをハウジング側と一体に形成し、その渦巻き状ラップの巻き終り端に連通するように吸入ポートを開口するとともに、固定スクロールと噛み合わされる旋回スクロールの巻き終り端を略同一位置に位置させた構成とし、吸入ポートから吸込んだ低温の冷媒ガスを順次２つの吸入容積に直接吸入させることによって、吸入冷媒ガスの過熱度および比容積の増大を抑制し、性能向上を図ったものが開示されている。
【先行技術文献】
【特許文献】
【０００５】
【特許文献１】特開平６−３３０８６３号公報（特許第２８７４５１４号公報）
【特許文献２】特開平１１−８２３２６号公報（特許第３８６９０８２号公報）
【発明の概要】
【発明が解決しようとする課題】
【０００６】
上記の如く、２つの吸入容積を１８０度の位相差で形成するスクロール圧縮機では、ハウジング側に設けられる吸入ポートの位置によっては、一方の吸入容積に吸入される冷媒ガスの温度が、他方の吸入容積に吸入される冷媒ガスの温度よりも高くなる場合がある。これは、ハウジング内での冷媒ガスの吸入経路が長くなり、その間に冷媒ガスが軸受や旋回駆動部等のメカ部と接触して加熱されるためであり、メカ部を冷却および潤滑できる反面、吸入過熱により他方の吸入容積に吸入される冷媒の密度が低下し、体積効率および冷凍能力が低下される等の課題があった。
【０００７】
また、特許文献１に示すものは、一方の渦巻き状ラップの巻き終り端を延長して巻き数を増やしているが、吸入ポートから遠い方の渦巻き状ラップの巻き終り端を延長したものであり、この場合、油や液冷媒を吸込むことによる液圧縮を防止し得るものの、体積効率や冷凍能力の向上を期待し得るものではなかった。また、特許文献２に示すものは、固定スクロール側の渦巻き状ラップの巻き終り端を延長することにより冷媒ガスの過熱度や比容積の増大を防止し、性能向上を図ったものであり、体積効率や冷凍能力の向上を期待し得る反面、低温の冷媒ガスやその冷媒中に含まれる油分によるメカ部の冷却や潤滑効果を期待できないため、別途潤滑対策を講じ、機器類の寿命を確保する必要があった。
【０００８】
本発明は、このような事情に鑑みてなされたものであって、吸入冷媒ガスによるメカ部の冷却・潤滑性を確保しながら、押しのけ量を増大して体積効率および冷凍能力を向上することで、その効果を両立し得るスクロール圧縮機を提供することを目的とする。
【課題を解決するための手段】
【０００９】
上記した課題を解決するために、本発明のスクロール圧縮機は、以下の手段を採用している。
すなわち、本発明にかかるスクロール圧縮機は、端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、前記２つの吸入容積のうち、ハウジングに設けられている吸入ポートに近い側に形成される一方の前記吸入容積を、他方の前記吸入容積よりも大きくし、前記固定スクロールおよび旋回スクロールの一方を前記渦巻き状ラップの歯底面の渦巻き方向に沿う所定位置のみに段部を備え、他方を前記歯底面側の段部に対応した前記渦巻き状ラップの歯先面の渦巻き方向に沿う所定位置のみに段部を備えた構成とし、前記吸入ポートに近い側に形成される前記吸入容積を、その吸入容積内のみに前記歯先面側の段部で形成される容積を追加することにより大きくしたことを特徴とする。
【００１０】
本発明によれば、一対の固定スクロールおよび旋回スクロールを噛み合せることにより２つの吸入容積を形成するスクロール圧縮機にあって、２つの吸入容積のうち、ハウジングに設けられている吸入ポートに近い側に形成される一方の吸入容積を、他方の吸入容積よりも大きくしているため、吸入ポート近くのより低温で密度の高い冷媒を効率よく吸入でき、冷媒の吸入量を効果的に増大することができる。従って、その分だけ押しのけ量を増大し、かつ圧縮機の体積効率および冷凍能力を大きくすることができる。また、吸入ポートから遠い側の吸入容積（圧縮室）に吸入される冷媒ガスにより軸受部等のメカ部を冷却および潤滑し、その冷却・潤滑性を確保することができるため、それら機器類の寿命確保と体積効率の向上による圧縮機の高性能化を両立することができる。
【００１２】
本発明によれば、吸入ポートに近い側に形成される前記吸入容積を、一方のスクロールの渦巻き状ラップの巻き数を増やすことにより大きくしているため、吸入ポート近くのより低温で密度の高い冷媒を効率よく吸入でき、冷媒の吸入量を効果的に増大することができる。従って、その分だけ押しのけ量を増大し、かつ圧縮機の体積効率および冷凍能力を一方のスクロールの渦巻き状ラップの巻き数を増やすだけで簡易に大きくすることができる。しかも吸入冷媒ガスによるメカ部の冷却・潤滑性を確保することで、それら機器類の寿命確保と体積効率の向上による圧縮機の高性能化を両立することができる。
【００１４】
本発明によれば、固定スクロールおよび旋回スクロールを、渦巻き状ラップの歯先面および歯底面の渦巻き方向に沿う所定位置に各々段部を設けた構成とし、吸入ポートに近い側に形成される吸入容積を、その吸入容積を形成する歯先面側の段部高さを他方の歯先面側の段部高さよりも高くすることにより大きくしているため、いわゆる両側段付きスクロールにあって、吸入ポート近くのより低温で密度の高い冷媒を効率よく吸入でき、冷媒の吸入量を効果的に増大することができる。従って、その分だけ押しのけ量を増大し、かつ圧縮機の体積効率および冷凍能力を一方のスクロールの歯先面側の段部高さを高くするだけで簡易に大きくすることができる。しかも吸入冷媒ガスによるメカ部の冷却・潤滑性を確保することで、それら機器類の寿命確保と体積効率の向上による圧縮機の高性能化を両立することができる。
【００１５】
さらに、本発明のスクロール圧縮機は、端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、前記２つの吸入容積のうち、ハウジングに設けられている吸入ポートに近い側に形成される一方の前記吸入容積を、他方の前記吸入容積よりも大きくし、前記固定スクロールおよび旋回スクロールの一方を前記渦巻き状ラップの歯底面の渦巻き方向に沿う所定位置のみに段部を備え、他方を前記歯底面側の段部に対応した前記渦巻き状ラップの歯先面の渦巻き方向に沿う所定位置のみに段部を備えた構成とし、前記吸入ポートに近い側に形成される前記吸入容積を、その吸入容積内のみに前記歯先面側の段部で形成される容積を追加することにより大きくしたことを特徴とする。
【００１６】
本発明によれば、固定スクロールおよび旋回スクロールの一方を渦巻き状ラップの歯底面の渦巻き方向に沿う所定位置のみに段部を備え、他方を歯底面側の段部に対応した渦巻き状ラップの歯先面の渦巻き方向に沿う所定位置のみに段部を備えた構成とし、吸入ポートに近い側に形成される吸入容積を、その吸入容積を形成する歯先面側のみに段部を配置することにより大きくしているため、いわゆる片側段付きスクロールにあって、吸入ポート近くのより低温で密度の高い冷媒を効率よく吸入でき、冷媒の吸入量を効果的に増大することができる。従って、その分だけ押しのけ量を増大し、かつ圧縮機の体積効率および冷凍能力を一方の吸入容積を形成する歯先面側のみに段部を配置するだけで簡易に大きくすることができる。しかも吸入冷媒ガスによるメカ部の冷却・潤滑性を確保することで、それら機器類の寿命確保と体積効率の向上による圧縮機の高性能化とを両立することができる。
【００１７】
また、本発明にかかるスクロール圧縮機は、端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、前記固定スクロールおよび旋回スクロールを、前記渦巻き状ラップの歯先面および歯底面の渦巻き方向に沿う所定位置に各々段部を設けた構成とし、前記２つの吸入容積を形成する両スクロールの表面積のうち、ハウジングに設けられている吸入ポートから吸込まれる低温の冷媒ガスの吸入領域に面して配置される前記旋回スクロール側の端板の表面積を、前記旋回スクロール側の歯底面に設ける前記段部の高さを前記固定スクロール側の歯底面に設ける前記段部の高さよりも高くすることにより固定スクロール側の端板の表面積よりも大きくしたことを特徴とする。
【００１８】
本発明によれば、一対の固定スクロールおよび旋回スクロールを噛み合せることにより２つの吸入容積を形成するスクロール圧縮機にあって、２つの吸入容積を形成する両スクロールの端板の表面積うち、ハウジングに設けられている吸入ポートから吸込まれる低温の冷媒ガスの吸入領域に面して配置される旋回スクロール側の端板の表面積を、固定スクロール側の端板の表面積よりも大きくしているため、その伝熱作用により、吸入容積内の温度をより低温度に維持して吸入効率を向上し、冷媒の吸入量を効果的に増大することができる。従って、その分だけ押しのけ量を増大し、圧縮機の体積効率および冷凍能力を大きくすることができる。また、吸入ポートから遠い側の吸入容積に吸入される冷媒ガスで軸受部等のメカ部を冷却および潤滑し、その冷却・潤滑性を確保することができるため、それら機器類の寿命確保と体積効率の向上による圧縮機の高性能化を両立することができる。
【００２０】
本発明によれば、固定スクロールおよび旋回スクロールを、渦巻き状ラップの歯先面および歯底面の渦巻き方向に沿う所定位置に各々段部を設けた構成とし、吸入容積を形成する両スクロールの端板の表面積のうち、ハウジングに設けられている吸入ポートから吸込まれる低温の冷媒ガスの吸入領域に面して配置される旋回スクロール側の端板の表面積を、旋回スクロール側の歯底面に設ける段部の高さを固定スクロール側の歯底面に設ける段部の高さよりも高くすることにより大きくしているため、いわゆる両側段付きスクロールにあって、その伝熱作用により吸入容積内の温度をより低温度に維持して吸入効率を向上し、冷媒の吸入量を効果的に増大することができる。これによって、その分だけ圧縮機の体積効率および冷凍能力を旋回スクロールの端板に設ける段部高さを高くして表面積を大きくするだけで簡易に大きくすることができる。しかも吸入冷媒ガスによるメカ部の冷却・潤滑性を確保することで、それら機器類の寿命確保と体積効率の向上による圧縮機の高性能化を両立することができる。
【００２１】
さらに、本発明のスクロール圧縮機は、端板上に渦巻き状ラップを立設した一対の固定スクロールおよび旋回スクロールを、前記渦巻き状ラップ同士を対向させて噛み合せし、前記旋回スクロールを前記固定スクロール周りに公転旋回駆動することにより、２つの吸入容積を形成するスクロール圧縮機において、前記固定スクロールおよび旋回スクロールの一方を前記渦巻き状ラップの歯底面の渦巻き方向に沿う所定位置のみに段部を備え、他方を前記歯底面側の段部に対応した前記渦巻き状ラップの歯先面の渦巻き方向に沿う所定位置のみに段部を備えた構成とし、前記２つの吸入容積を形成する両スクロールの表面積のうち、ハウジングに設けられている吸入ポートから吸込まれる低温の冷媒ガスの吸入領域に面して配置される前記旋回スクロール側の端板の表面積を、前記旋回スクロール側の歯底面のみに前記段部を設けることにより固定スクロール側の端板の表面積よりも大きくしたことを特徴とする。
【００２２】
本発明によれば、固定スクロールおよび旋回スクロールの一方を渦巻き状ラップの歯底面の渦巻き方向に沿う所定位置のみに段部を備え、他方を歯底面側の段部に対応した渦巻き状ラップの歯先面の渦巻き方向に沿う所定位置のみに段部を備えた構成とし、吸入容積を形成する両スクロールの端板の表面積のうち、ハウジングに設けられている吸入ポートから吸込まれる低温の冷媒ガスの吸入領域に面して配置される旋回スクロール側の端板の表面積を、旋回スクロール側の歯底面のみに段部を設けることによって大きくしているため、いわゆる片側段付きスクロールにあって、その伝熱作用により吸入容積内の温度をより低温度に維持して吸入効率を向上し、冷媒の吸入量を効果的に増大することができる。従って、その分だけ圧縮機の体積効率および冷凍能力を旋回スクロールの端板側のみに段部を設けて表面積を大きくするだけで簡易に大きくすることができる。しかも吸入冷媒ガスによるメカ部の冷却・潤滑性を確保し、それら機器類の寿命確保と体積効率の向上による圧縮機の高性能化を両立することができる。
【発明の効果】
【００２３】
本発明によると、吸入ポートに近く、より低温の冷媒ガスを吸入することができる一方の吸入容積を、他方の吸入容積よりも大きくしたことによって、低温でより密度の高い冷媒を効率よく吸入し、冷媒の吸入量を効果的に増大することができるため、その分だけ押しのけ量を増大し、かつ圧縮機の体積効率および冷凍能力を大きくすることができる。また、吸入ポートから遠い側の吸入容積に吸入される冷媒ガスにより軸受部等のメカ部を冷却および潤滑し、その冷却・潤滑性を確保することができるため、それら機器類の寿命確保と体積効率の向上による圧縮機の高性能化とを両立することができる。
【００２４】
また、本発明によると、２つの吸入容積を形成する両スクロールの端板の表面積うち、低温の冷媒ガスが吸込まれる吸入領域に面して配置される旋回スクロール側の端板の表面積を、固定スクロール側の端板の表面積よりも大きくしたことにより、吸入容積内の温度をより低温度に維持して吸入効率を向上し、冷媒の吸入量を効果的に増大することができるため、その分だけ圧縮機の体積効率および冷凍能力を大きくすることができる。また、吸入ポートから遠い側の吸入容積に吸入される冷媒ガスで軸受部等のメカ部を冷却および潤滑し、その冷却・潤滑性を確保することができるため、それら機器類の寿命確保と体積効率の向上による圧縮機の高性能化とを両立することができる。
【図面の簡単な説明】
【００２５】
【図１】本発明の第１実施形態に係るスクロール圧縮機の縦断面図である。
【図２】図１のＡ−Ａ断面相当図である。
【図３】上記スクロール圧縮機の固定スクロールと旋回スクロールの噛み合い状態の説明図である。
【図４】本発明の第２実施形態に係るスクロール圧縮機の図１のＡ−Ａ断面相当図（Ｂ）と、その２つの吸入容積の容積を示す模式図（Ａ），（Ｃ）である。縦断面図である。
【図５】本発明の第３実施形態に係るスクロール圧縮機の旋回スクロール端板の吸入容積を形成する表面積を示す模式図（Ａ），（Ｂ）である。
【発明を実施するための形態】
【００２６】
以下に、本発明にかかる実施形態について、図面を参照して説明する。
［第１実施形態］
以下、本発明の第１実施形態について、図１ないし図３を用いて説明する。
図１には、本発明の第１実施形態にかかるスクロール圧縮機の縦断面図が示され、図２には、そのＡ−Ａ断面相当図、図３には、その固定スクロールと旋回スクロールの噛み合い状態の説明図が示されている。
スクロール圧縮機１は、外殻を構成する円筒状のハウジング２を備えている。ここでのハウジング２は、フロントハウジング３とリアハウジング４とを図示省略のボルト等を介して一体に締め付け固定したものとされている。
【００２７】
ハウジング２内部のフロントハウジング３側には、クランク軸５がメイン軸受６およびサブ軸受（図示省略）を介してその軸線回りに回転自在に支持されている。クランク軸５の一端側（図１において左側）は、フロントハウジング３を貫通して図１の左側に突出されており、その突出部位には、公知の如く動力を受ける電磁クラッチ７およびプーリ８が設けられ、エンジン等の駆動源からベルトを介して動力が入力可能とされている。メイン軸受７とサブ軸受との間には、メカニカルシールまたはリップシールが設置され、ハウジング２内と大気間がシールされている。
【００２８】
クランク軸５の他端側（図１において右側）には、その軸線に対して所定寸法だけ偏心したクランクピン９が一体に設けられている。このクランクピン９は、ドライブブッシュ１０およびドライブ軸受１１を介して後述する旋回スクロール１５に連結されており、クランク軸５が回転駆動されることによって、旋回スクロール１５を旋回駆動する構成とされている。
【００２９】
ドライブブッシュ１０には、旋回スクロール１５が旋回駆動されることにより発生するアンバランス荷重を除去するためのバランスウェイト１２が一体に形成されており、旋回スクロール１５の旋回駆動と共に旋回されるようになっている。また、ドライブブッシュ１０とクランクピン９との間には、旋回スクロール１５の旋回半径を可変とする公知の従動クランク機構が設けられている。
【００３０】
ハウジング２の内部には、一対の固定スクロール１４および旋回スクロール１５によって構成されるスクロール圧縮機構１３が組み込まれている。固定スクロール１４は、端板１４Ａと該端板１４Ａから立設された渦巻き状ラップ１４Ｂとから構成され、旋回スクロール１５は、端板１５Ａと該端板１５Ａから立設された渦巻き状ラップ１５Ｂとから構成されている。
【００３１】
ここでの固定スクロール１４および旋回スクロール１５は、図２および図３に示されるように、渦巻き状ラップ１４Ｂ，１５Ｂの歯先面および歯底面の渦巻き方向に沿う所定位置に、各々段部１４Ｃ，１５Ｃおよび１４Ｄ，１５Ｄを備えた構成とされており、この段部１４Ｃ，１５Ｃおよび１４Ｄ，１５Ｄを境に、ラップ歯先面側では、旋回軸線方向に外周側の歯先面が高く、内周側の歯先面が低くされ、また、歯底面では、旋回軸線方向に外周側の歯底面が低く、内周側の歯底面が高くされている。これによって、渦巻き状ラップ１４Ｂ，１５Ｂは、その外周側におけるラップ高さが内周側のラップ高さよりも高くされた構成とされている。
【００３２】
固定スクロール１４および旋回スクロール１５は、その中心を旋回半径分離し、渦巻き状ラップ１４Ｂ，１５Ｂ同士を対向させ、更に位相を１８０度ずらして噛み合せし、渦巻き状ラップ１４Ｂ，１５Ｂの歯先面と歯底面間に常温で僅かなクリアランス（数十〜数百ミクロン）を有するように組み付けられている。これによって、両スクロール１４，１５間に、端板１４Ａ，１５Ａと渦巻き状ラップ１４Ｂ，１５Ｂとにより限界される一対の吸入容積（圧縮室）１６がスクロール中心に対して１８０度の位相差で形成されるようになっている。
【００３３】
上記吸入容積（圧縮室）１６は、渦巻き状ラップ１４Ｂ，１５Ｂの旋回軸線方向の高さが外周側において内周側の高さよりも高くされており、渦巻き状ラップ１４Ｂ，１５Ｂの周方向およびラップ高さ方向の双方にガスを圧縮する三次元圧縮が可能なスクロール圧縮機構１３を構成するものである。なお、圧縮機構１３は、上記の如く段部１４Ｃ，１５Ｃおよび１４Ｄ，１５Ｄを備えた、いわゆる両側段付きスクロール圧縮機構１３とされているが、段部を有しない、二次元圧縮タイプのコンベンショナルなスクロール圧縮機構であってもよいことはもちろんである。
【００３４】
固定スクロール１４は、リアハウジング４の内面に図示省略のボルト等を介して固定設置されており、また、旋回スクロール１５は、端板１５Ａの背面に設けられている軸受ボス部に対して、上述の通りクランク軸５の一端側に設けられているクランクピン９がドライブブッシュ１０およびドライブ軸受１１を介して連結されることにより、旋回駆動可能とされている。更に、旋回スクロール１５は、フロントハウジング３のスラスト軸受面３Ａに端板１５Ａの背面が支持され、そのスラスト軸受面３Ａと端板１５Ａの背面との間に設けられる図示省略の自転阻止機構を介して、自転が阻止されながら固定スクロール１４の周りに公転旋回駆動されるようになっている。
【００３５】
固定スクロール１４には、端板１４Ａの中央部位に圧縮された冷媒ガスを吐出する吐出ポート１７が開口されており、この吐出ポート１７には、リテーナ１８を介して吐出リード弁１９が設置されている。また、固定スクロール１４の端板１４Ａの外周側背面とリアハウジング４の内面との間にＯリング等のシール材が介装されており、そのシール材の内周側空間がハウジング２の内部空間から区画された吐出チャンバー２０とされ、吐出ポート１７を介して高温高圧の圧縮ガスが吐出されるようになっている。更に、そのシール材による区画によって、ハウジング２の内部空間が吐出チャンバー２０と、その他の吸入領域２１とに区画されている。
【００３６】
ハウジング２内の吸入領域２１には、フロントハウジング３の上方部に設けられている吸入ポート２２が開口され、冷凍サイクル側から低温低圧の冷媒ガスが吸込まれるようになっている。この吸入領域２１に吸込まれた低温低圧の冷媒ガスは、旋回スクロール１５の旋回駆動によって固定スクロール１４との間に１８０度の位相差で形成される２つの吸入容積（圧縮室）１６に吸入され、圧縮されるようになっている。
【００３７】
かかるスクロール圧縮機１において、スクロール圧縮機構１３を構成する固定スクロール１４と旋回スクロール１５の渦巻き状ラップ１４Ｂ，１５Ｂの巻き終り端は、上下方向に配置され、固定スクロール１４の渦巻き状ラップ１４Ｂの巻き終り端は上方位置、旋回スクロール１５の渦巻き状ラップ１５Ｂの巻き終り端は下方位置にそれぞれ鉛直方向位置から所定角度傾いた位置に配置されている。
【００３８】
従って、このスクロール圧縮機１では、固定スクロール１４の渦巻き状ラップ１４Ｂの巻き終り端により吸入締め切りされる吸入容積１６Ａに対する吸込み位置Ｐ１の方が、旋回スクロール１５の渦巻き状ラップ１５Ｂの巻き終り端により吸入締め切りされる吸入容積１６Ｂに対する吸込み位置Ｐ２よりも吸入ポート２２に近い位置に配置されることになり、吸入ポート２２から吸入領域２１に吸込まれた低温の冷媒ガスは、吸入容積１６Ａには直接的に吸入される一方、吸入容積１６Ａには、軸受６，１１やドライブブッシュ１０等のメカ部に接触しながら、１８０度反対位置に回り込んで吸入されるようになる。
【００３９】
つまり、吸入ポート２２に近い側の吸入容積１６Ａに対して、吸入ポート２２から吸込まれた低温の冷媒ガスは、矢印ａの如く、直接的に吸入されることになる一方、吸入ポート２２から遠い側の吸入容積１６Ｂに対しては、吸入ポート２２から吸入領域２１に吸込まれた後、矢印ｂの如く、軸受６，１１やドライブブッシュ１０等と接触する吸入経路を経て回り込んで吸入されることになり、その間、低温の冷媒ガスやそのガス中に含まれる油滴により、軸受６，１１やドライブブッシュ１０等のメカ部の冷却や潤滑に供されるようになっている。
【００４０】
本実施形態においては、吸入ポート２２に近い吸入容積１６Ａ、すなわち渦巻き状ラップ１４Ｂ，１５Ｂの歯丈方向中央断面（図２）において、吸込み位置Ｐ１迄の直線距離が吸入ポート２２に近い側の吸入容積１６Ａが、低温で高密度の冷媒をより多く吸入できるようにするため、１８０度の位相差で形成される２つの吸入容積（圧縮室）１６のうち、吸入ポート２２に近い側に形成される一方の吸入容積１６Ａの容積を、他方の吸入容積１６Ｂの容積よりも大きくすべく、固定スクロール１４の渦巻き状ラップ１４Ｂの巻き終り端に対し、図３に網掛けで表示した巻き数増加部分（巻き終り端を延長した部分）２３を設けた構成としている。
【００４１】
以上に説明の構成により、本実施形態によれば、以下の作用効果を奏する。
外部駆動源からの回転駆動力をプーリ８および電磁クラッチ７を介してクランク軸５に入力し、クランク軸５を回転すると、そのクランクピン９にドライブブッシュ１０およびドライブ軸受１１を介して旋回半径が可変に連結されている旋回スクロール１５が、自転阻止機構（図示省略）により自転を阻止されながら、固定スクロール１４の周りに或る旋回半径で公転旋回駆動される。
【００４２】
この旋回スクロール１５の公転旋回駆動によって、半径方向の最外周に１８０度の位相差で形成される２つの吸入容積（圧縮室）１６内に、吸入ポート２２から吸入領域２１に吸込まれた低温の冷媒ガスが吸入される。この吸入容積（圧縮室）１６は、所定の旋回角で吸入締め切りされた後、容積が周方向およびラップ高さ方向に減少されながら中心側へと移動されることにより冷媒ガスを圧縮する。一対の吸入容積（圧縮室）１６が中心部位において合流し、吐出ポート１７に連通する位置に達すると、吐出リード弁１９を押し開く結果、圧縮された高温高圧のガスは、吐出チャンバー２０内に吐出され、そこからスクロール圧縮機１の外部、すなわち冷凍サイクル側へと送出される。
【００４３】
吸入ポート２２から吸入領域２１に吸込まれた低温の冷媒ガスは、吸入ポート２２に近い側の吸入容積（圧縮室）１６Ａには矢印ａで示されるように、直接的に吸入されることになるため、低温で高密度のまま吸入されることになる。一方、吸入ポート２２から遠い側の吸入容積（圧縮室）１６Ｂには矢印ｂで示されるように、軸受６，１１やドライブブッシュ１０等のメカ部に接触する長い吸入経路を経て吸入されることになるため、その間加熱され、過熱度が高くなって密度が低下した状態で吸入されることになるが、その間に接触するメカ部を冷媒ガスやそのガス中に含まれる油滴で冷却および潤滑し、それら機器類の製品寿命の確保に寄与する。
【００４４】
また、１８０度の位相差で形成されている２つの吸入容積（圧縮室）１６のうち、ハウジング２に設けられている吸入ポート２２に近い側の一方の吸入容積１６Ａの容積を、遠い側の他方の吸入容積１６Ｂの容積よりも大きくしている。つまり、固定スクロール１４の渦巻き状ラップ１４Ｂの巻き終り端に、図３に示されるように、巻き数増加部分２３を設けることにより、吸入ポート２２に近い側の吸入容積１６Ａの容積を増大し、他方の吸入容積（圧縮室）１６Ｂの容積よりも大きくしているため、低温でより密度の高い冷媒を効率よく吸入し、冷媒の吸入量を効果的に増大することができる。
【００４５】
これによって、冷媒の吸入量を増大した分だけ圧縮機の押しのけ量を増大し、かつスクロール圧縮機１の体積効率および冷凍能力を一方の固定スクロール１４の渦巻き状ラップ１４Ｂの巻き数を増やすだけで簡易に大きくすることができる。また、吸入ポート２２から遠い側の吸入容積（圧縮室）１６Ｂに吸入される低温の冷媒ガスにより軸受６，１１やドライブブッシュ１０等のメカ部を冷却および潤滑することができるため、それら機器類の寿命確保と体積効率の向上による圧縮機１の高性能化を両立することができる。
【００４６】
なお、本実施形態では、固定スクロール１４および旋回スクロール１５の渦巻き状ラップ１４Ｂ，１５Ｂの歯先面および歯底面の渦巻き方向に沿う所定位置に段部１４Ｃ，１５Ｃおよび１４Ｄ，１５Ｄを設けた、いわゆる両側段付きスクールに適用した例について説明したが、段部１４Ｃ，１５Ｃおよび１４Ｄ，１５Ｄを備えていないスクロール圧縮機において、吸入ポート２２に近い側に形成される一方の吸入容積１６Ａの容積を、一方のスクロールの渦巻き状ラップの巻き数を増やして大きくすることにより、同様の効果が得られることはもちろんであり、かかるスクロール圧縮機も本発明に包含されることは云うまでもない。
【００４７】
また、本実施形態では、吸入ポート２２をハウジング２の外周の上方部位に設けたものについて説明したが、吸入ポート２２の位置は、それに限らず、図２において、スクロールの中心と各渦巻き状ラップ１４Ｂ，１５Ｂの巻き終り端とを結ぶ直線に対し直交する直線上よりも上側でハウジング２の外周に設けられておればよく、その範囲であれば、吸入ポート２２から吸込み位置迄の直線距離は、吸入容積１６Ａ側迄の距離の方が吸入容積１６Ｂ側迄の距離よりも近くなる。
【００４８】
［第２実施形態］
次に、本発明の第２実施形態について、図４を用いて説明する。
本実施形態は、上記した第１実施形態に対して、吸入ポート２２に近い側の吸入容積１６Ａの容積を、その吸入容積１６Ａを形成する、いわゆる両側段付きスクールの歯先面側の段部高さを他方の歯先面側の段部高さよりも高くすることにより大きくしたものである点が異なる。その他の点については、第１実施形態と同様であるので説明は省略する。
【００４９】
いわゆる両側段付きスクール圧縮機１の構成は、図１および図２に示されている通りである。また、図４は、１８０度の位相差で形成される２つの吸入容積（圧縮室）１６の容積を模式的に分解して示したものであり、（Ｂ）は、図２に相当する両側段付きスクール圧縮機１の断面図、（Ａ）は、吸入ポート２２から遠い側に形成される吸入容積１６Ｂの容積の分解図、（Ｃ）は、吸入ポート２２に近い側に形成される吸入容積１６Ａの容積の分解図である。
【００５０】
このように、両側段付きスクール圧縮機１において、１８０度の位相差で形成される２つの吸入容積（圧縮室）１６Ａ，１６Ｂの容積は、図４（Ａ）および（Ｃ）に示されるように、それぞれベースとなる容積部分Ａ１，Ａ２に対して、歯先面側段部１４Ｃ，１５Ｃにより形成される容積部分Ｂ１，Ｂ２と、歯底面側段部１４Ｄ，１５Ｄにより形成される容積部分Ｃ１，Ｃ２とを加えた容積となっている。
【００５１】
このため、「吸入容積１６Ａ＞吸入容積１６Ｂ」とするには、容積部分Ｃ１，Ｃ２よりも大きい歯先面側段部１４Ｃ，１５Ｃで形成される容積部分Ｂ１，Ｂ２のうち、吸入容積１６Ａ側の容積部分Ｂ１の高さ方向寸法Ｌ１を、他方の容積部分Ｂ２の高さ方向寸法Ｌ２よりも高くし、「Ｌ１＞Ｌ２」とすることにより、２つの吸入容積（圧縮室）１６Ａ，１６Ｂの容積を効果的に「吸入容積１６Ａ＞吸入容積１６Ｂ」とすることができる。つまり、吸入ポート２２に近い側に形成される吸入容積１６Ａを形成する歯先面側の段部１４Ｃの高さを、他方の吸入容積１６Ｂを形成する歯先面側の段部１５Ｃの高さよりも高くすることによって、「吸入容積１６Ａ＞吸入容積１６Ｂ」とすることができる。
【００５２】
言い換えると、旋回スクロール１５の端板１５Ａ側に設ける段部１５Ｄの高さを、固定スクロール１４の端板１４Ａ側に設ける段部１４Ｄ高さよりも高くし、旋回スクロール１５の渦巻き状ラップ１５Ｂ側に設ける段部１５Ｃの高さを、固定スクロール１４の渦巻き状ラップ１４Ｂ側に設ける段部１４Ｃの高さよりも低くした段部高さの異なる両側段付きスクール圧縮機１とすることによって、「吸入容積１６Ａ＞吸入容積１６Ｂ」とすることができる。
【００５３】
固定スクロール１４および旋回スクロール１５の歯先面側の段部１４Ｃ，１５Ｃと、歯底面側の段部１４Ｄ，１５Ｄとは、固定スクロール１４の歯先面側段部１４Ｃと旋回スクロール１５の歯底面側段部１５Ｄとが噛み合い、固定スクロール１４の歯底面側段部１４Ｄと旋回スクロール１５の歯先面側段部１５Ｃとが噛み合うことになるため、旋回スクロール１５の端板１５Ａ側に設ける段部１５Ｄの高さをＬ１、固定スクロール１４の端板１４Ａ側に設ける段部１４Ｄの高さをＬ２とし、それを「Ｌ１＞Ｌ２」とすればよいことになる。
【００５４】
以上に説明の如く、いわゆる両側段付きスクール圧縮機１にあっては、吸入ポート２２に近く、より低温の冷媒ガスを吸入することができる吸入容積（圧縮室）１６Ａを形成する歯先面側の段部１４Ｃの高さを他方の歯先面側段部１５Ｃの高さよりも高くすることによって、その容積を「吸入容積１６Ａ＞吸入容積１６Ｂ」とし、吸入ポート２２に近い側に形成される吸入容積（圧縮室）１６Ａに対して、低温で密度の高い冷媒を効率よく吸入し、冷媒の吸入量を効果的に増大することができる。
【００５５】
従って、その分だけ圧縮機の押しのけ量を増大し、スクロール圧縮機１の体積効率および冷凍能力を一方の旋回スクロール１５の歯底面側段部１５Ｄおよび固定スクロール１４の歯先面側段部１４Ｃの高さを高くするだけで簡易に大きくすることができる。しかも低温の吸入冷媒ガスによる軸受６，１１やドライブブッシュ１０等のメカ部の冷却・潤滑性を確保することで、それら機器類の寿命確保と体積効率の向上による圧縮機１の高性能化を両立することができる。
【００５６】
つまり、図４（Ｃ）に示す吸入容積１６Ａの分解図において、三日月形状（ベース容積部分と同じ形状）の容積部分Ｂ１と、半三日月形状（三日月が途中で切れた形状）の容積部分Ｃ１があり、段部高さを高くした場合により容積が大きくなるのは、面積の大きい三日月形状の容積部分Ｂ１となる。よって、結果的には吸入容積１６Ａ内に位置する歯底面側の段部高さ１４Ｄ（＝１５Ｃ＝Ｌ２）を、他方の段部高さ１５Ｄ（＝１４Ｃ＝Ｌ１）よりも低くすることによって、「吸入容積１６Ａ＞吸入容積１６Ｂ」とすることができる。
このように、２つの吸入容積１６のうち、三日月形状の容積部分Ｂ１（Ｌ１）と、容積部分Ｂ２（Ｌ２）とを比較して、容積を大きくしたい方の高さをたかくすればよい。
［変形例］
上記第２実施形態は、以下のような変形例としてもよい。
第２実施形態は、一対の固定スクロール１４および旋回スクロール１５の渦巻き状ラップ１４Ｂ，１５Ｂの歯先面および歯底面に各々段部１４Ｃ，１５Ｃおよび１４Ｄ，１５Ｄを設けて構成した、いわゆる両側段付きスクロール圧縮機１にあって、互いに噛み合う段部１４Ｃおよび１５Ｄと、段部１４Ｄおよび１５Ｃの高さを異なる高さとして、２つの吸入容積１６の容積を「吸入容積１６Ａ＞吸入容積１６Ｂ」としたものであるが、いわゆる片側段付きスクール圧縮機１とすることによっても、上記形態と同様「吸入容積１６Ａ＞吸入容積１６Ｂ」とすることができる。
【００５７】
つまり、一対の固定スクロール１４および旋回スクロール１５の一方を渦巻き状ラップ１４Ｂまたは１５Ｂの歯底面の渦巻き方向に沿う所定位置のみに段部１４Ｄまたは１５Ｄを備えたスクロール、他方を歯底面側の段部１４Ｄまたは１５Ｄに対応した渦巻き状ラップ１４Ｂまたは１５Ｂの歯先面の渦巻き方向に沿う所定位置のみに段部１４Ｃまたは１５Ｃを備えたスクロールとすることにより、一方のスクロールの端板のみに段部を設けた片側段付きスクール圧縮機１となし、１８０度の位相差で形成される２つの吸入容積（圧縮室）１６のうち、吸入ポート２２に近い側に形成される吸入容積１６Ａの容積のみに歯先面側段部１４Ｃまたは１５Ｃで形成される容積を追加することにより、「吸入容積１６Ａ＞吸入容積１６Ｂ」としたものである。
【００５８】
かかる構成とすることによっても、１８０度の位相差で形成される２つの吸入容積（圧縮室）１６のうち、吸入ポート２２に近い側に形成される吸入容積１６Ａの容積を、「吸入容積１６Ａ＞吸入容積１６Ｂ」とし、吸入ポート２２に近い吸入容積（圧縮室）１６Ａに対して、低温で密度の高い冷媒を効率よく吸入し、冷媒の吸入量を効果的に増大することができる。従って、その分だけ圧縮機の押しのけ量を増大し、スクロール圧縮機１の体積効率および冷凍能力を簡易に大きくすることができるとともに、吸入冷媒ガスによるメカ部の冷却・潤滑性を確保することで、それら機器類の寿命確保と体積効率の向上による圧縮機１の高性能化を両立することができる。
【００５９】
なお、ここでの片側段付きスクロール圧縮機１の場合、１８０度の位相差で形成される２つの吸入容積（圧縮室）１６Ａ，１６Ｂのうち、吸入ポート２２から遠い側に形成される吸入容積１６Ｂは、図４（Ａ）に示される吸入容積１６Ｂおいて、歯先面側の段部１５Ｃにより形成される容積部分Ｂ２が省略されたものと同等の構成とされることになる。
【００６０】
［第３実施形態］
次に、本発明の第３実施形態について、図５を用いて説明する。
本実施形態は、上記した第１および第２実施形態に対し、１８０度の位相差で形成される２つの吸入容積（圧縮室）１６（１６Ａ，１６Ｂ）を形成する固定および旋回スクロール１４，１５の表面積うち、吸入ポート２２から吸込まれる低温低圧の冷媒ガスの吸入領域２１に面して配置される旋回スクロール１５側の端板１５Ａの表面積を、固定スクロール１４側の端板１５の表面積よりも大きくしたものである点が異なる。その他の点については、第１および第２実施形態と同様であるので説明は省略する。
【００６１】
つまり、本実施形態では、いわゆる両側段付きスクール圧縮機１にあって、端板の反渦巻き状ラップ側の面が高温高圧のガスが吐出される吐出チャンパー２０に面して配置される固定スクロール１４に対して、低温低圧の吸入領域２１に面して配置される旋回スクロール１５の端板１５Ａに設けられる段部１５Ｄの高さを、固定スクロール１４側に設けられる段部１４Ｄの高さよりも高くし、吸入容積（圧縮室）１６を形成する旋回スクロール１５側の表面積Ｓ１を大きくすることにより、吸入容積内の温度をより低温化して吸入効率を向上し、冷媒の吸入量を効果的に増大するようにしたものである。
【００６２】
図５には、旋回スクロール１５の端板１５Ａが一方の吸入容積（圧縮室）１６を形成する際の表面積Ｓ１，Ｓ２がハッチングで示されている。（Ａ）は、端板１５Ａに段部１５Ｄを設けた場合のもの、（Ｂ）は、段部１５Ｄを設けない場合のもので、これから、段部１５Ｄを設けない場合の表面積Ｓ２に比べ、段部１５Ｄを設けた場合の表面積Ｓ１の方が吸入容積１６を形成する端板１５Ａ側の表面積を大きく（Ｓ１＞Ｓ２）できること、両スクロール１４，１５の端板１４Ａ，１５Ａに段部１４Ｄ，１５Ｄを設けた場合、旋回スクロール１５の端板１５Ａに設ける段部１５Ｄの高さを固定スクロール１４側の段部１４Ｄの高さよりも高くした方が、吸入容積１６を形成する端板１５Ａ側の表面積を大きくできることが解る。
【００６３】
本実施形態は、上記の知見に基づいて、
（１）固定スクロール１４および旋回スクロール１５の渦巻き状ラップ１４Ｂ，１５Ｂの歯先面および歯底面の渦巻き方向に沿う所定位置に、各々段部１４Ｃ，１５Ｃおよび１４Ｄ，１５Ｄを設けて圧縮機構１３を構成した、いわゆる両側段付きスクロール圧縮機１の場合は、吸入容積１６を形成する旋回スクロール１５側の端板１５Ａの表面積Ｓ１を、旋回スクロール１５側の歯底面に設ける段部１５Ｄの高さを固定スクロール１４側の歯底面に設ける段部１４Ｄの高さよりも高くすることによって大きくした構成としたものである。
【００６４】
（２）また、固定スクロール１４および旋回スクロール１５の一方を渦巻き状ラップ１４Ｂ，１５Ｂの歯底面の渦巻き方向に沿う所定位置のみに段部１４Ｄ，１５Ｄを設け、他方を歯底面側の段部１４Ｄ，１５Ｄに対応した渦巻き状ラップ１４Ｂ，１５Ｂの歯先面の渦巻き方向に沿う位置のみに段部１４Ｃ，１５Ｃを設けて圧縮機構１３を構成した、いわゆる片側段付きスクロール圧縮機１の場合は、吸入容積１６を形成する旋回スクロール１５側の端板１５Ｂの表面積Ｓ１を、旋回スクロール１５側の歯底面のみに段部１５Ｄを設けることにより大きくした構成としたものである。
【００６５】
以上に説明の構成としたことにより、上記（１）の場合は、いわゆる両側段付きスクロールにあって、２つの吸入容積１６（１６Ａ，１６Ｂ）を形成する両スクロール１４，１５の端板１４Ａ，１５Ａの表面積うち、低温の冷媒ガスが吸込まれる吸入領域２１に面して配置される旋回スクロール１５側の端板１５Ａの表面積Ｓ１を、その歯底面の段部１５Ｄの高さを固定スクロール１４側の段部１４Ｄの高さよりも高くして大きくしたことによって、吸入容積１６内の温度をより低温に維持して吸入効率を向上し、冷媒の吸入量を効果的に増大することができる。
【００６６】
従って、その分だけスクロール圧縮機１の体積効率および冷凍能力を、旋回スクロール１５の端板１５Ａに設ける段部１５Ｄの高さを高くして表面積Ｓ１を大きくするだけで簡易に大きくすることができる。しかも吸入冷媒ガスによるメカ部の冷却・潤滑性を確保することで、それら機器類の寿命確保と体積効率の向上による圧縮機１の高性能化を両立することができる。
【００６７】
また、上記（２）の場合は、いわゆる片側段付きスクロールにあって、２つの吸入容積１６（１６Ａ，１６Ｂ）を形成する両スクロール１４，１５の端板１４Ａ，１５Ａの表面積うち、低温の冷媒ガスが吸込まれる吸入領域２１に面して配置される旋回スクロール１５側の端板１５Ａの表面積Ｓ１を、その歯底面のみに段部１５Ｄを設けて大きくしたことによって、吸入容積１６内の温度をより低温度に維持して吸入効率を向上し、冷媒の吸入量を効果的に増大することができる。
【００６８】
これによって、その分だけスクロール圧縮機１の体積効率および冷凍能力を、旋回スクロール１５の端板１５Ａ側のみに段部１５Ｄを設けて表面積Ｓ１を大きくするだけで簡易に大きくすることができる。しかも吸入冷媒ガスによるメカ部の冷却・潤滑性を確保し、それら機器類の寿命確保と体積効率の向上による圧縮機１の高性能化を両立することができる。
【００６９】
斯くして、本実施形態の如く、２つの吸入容積（圧縮室）１６を形成する両スクロール１４，１５の端板１４Ａ，１５Ａの表面積うち、低温低圧側の吸入領域２１に面して配置される旋回スクロール１５側の端板１５Ａの表面積Ｓ１を、固定スクロール１４側の端板１４Ａの表面積よりも大きくすることにより、吸入容積１６内の温度をより低温に維持して吸入効率を向上し、冷媒の吸入量を効果的に増大することができるため、その分だけスクロール圧縮機１の体積効率および冷凍能力を大きくすることができる。
【００７０】
また、吸入ポート２２から遠い側の吸入容積（圧縮室）１６Ｂに吸入される低温の冷媒ガスで軸受部等のメカ部を冷却および潤滑することができるため、それら機器類の寿命確保と体積効率の向上による圧縮機１の高性能化を両立することができる。
【００７１】
なお、本発明は、上記実施形態にかかる発明に限定されるものではなく、その要旨を逸脱しない範囲において、適宜変形が可能である。例えば、上記実施形態では、固定スクロール１４の巻き終り端を上方部位に配置し、旋回スクロール１５の巻き終り端を下方部位に配置したものについて説明したが、逆の場合であってもよく、この場合、各々の段部１４Ｃ，１５Ｃおよび１４Ｄ，１５Ｄの配置が逆になることはもちろんである。
【００７２】
また、上記実施形態では、横型のスクロール圧縮機に適用した例について説明したが、縦型のスクロール圧縮機や密閉型のスクロール圧縮機等にも同様に適用できることは云うまでもない。
【符号の説明】
【００７３】
１  スクロール圧縮機
１４  固定スクロール
１５  旋回スクロール
１４Ａ，１５Ａ  端板
１４Ｂ，１５Ｂ  渦巻き状ラップ
１４Ｃ，１５Ｃ  歯先面側の段部
１４Ｄ，１５Ｄ  歯底面側の段部
１６，１６Ａ，１６Ｂ  吸入容積（圧縮室）
２１  吸入領域
２２  吸入ポート
２３  巻き数増加部分
Ａ１，Ａ２  ベース容積部分
Ｂ１，Ｂ２  歯先面側段部による容積部分
Ｃ１，Ｃ２  歯底面側段部による容積部分
Ｌ１，Ｌ２  段部の高さ
Ｓ１，Ｓ２  吸入容積を形成する表面積
【図１】
0006444786.tif 000002
【図２】
0006444786.tif 000003
【図３】
0006444786.tif 000004
【図４】
0006444786.tif 000005
【図５】
0006444786.tif 000006